(57)【要約】【課題】簡単な構成でありながら、複雑な興趣のある演出を可能にする押しボタンスイッチ、押しボタンユニットおよび遊技機を提供する。【解決手段】押しボタンスイッチ５は、押圧操作面３１ａと平行に配設された導光板３３，３４を含む透光材からなるボタンモジュール３０と、ボタンモジュール３０を押圧方向に平行移動させるリンク機構２０と、平行移動に伴ってボタンモジュール３０に対する押圧操作を検出する検出部８０と、導光板３３，３４の側面より内部に光を入射させるＬＥＤ４１，４２と、ボタンモジュール３０の裏面側に配された下側ケース１０と、を備え、リンク機構２０は、押圧操作面３１ａに対応する領域の外にてボタンモジュール３０を担持し、検出部８０およびＬＥＤ４１，４２は、押圧操作面３１ａと対応する領域の外に配され、下側ケース１０には、押圧操作面３１ａと対応する領域が透明化もしくは開口され、底面開口部１０ａを有する。【選択図】図３
2015223374.tif 000002
【特許請求の範囲】
【請求項１】
押圧操作面と平行に配設された導光板を含む透光材からなるボタン部と、
前記ボタン部を押圧方向に平行移動させる移動機構と、
前記平行移動に伴って、前記ボタン部に対する押圧操作を検出する検出部と、
前記導光板の側面より内部に光を入射させる光源と、
前記ボタン部の裏面側に配され、少なくとも前記移動機構が装備されるベースと、を備え、
前記移動機構は、前記押圧操作面に対応する領域外にて前記ボタン部を担持し、
前記検出部および前記光源は、前記押圧操作面と対応する領域外に配され、
前記ベースには、前記押圧操作面と対応する領域が透明化もしくは開口されていることを特徴とする押しボタンスイッチ。
【請求項２】
前記導光板は、複数枚が積層して配置され、
前記光源は、前記複数の導光板それぞれに光を供給可能に配置されていることを特徴とする請求項１に記載の押しボタンスイッチ。
【請求項３】
前記光源は、前記ボタン部とは一体に移動しないように設けられ、
前記ボタン部が押圧操作された状態で、押圧方向上側に位置する導光板に、該導光板よりも同方向下側に位置する別の導光板用に設けられた光源からの光が入射するように設けられていることを特徴とする請求項２に記載の押しボタンスイッチ。
【請求項４】
請求項１〜３の何れか１項に記載された押しボタンスイッチと、
前記押しボタンスイッチの裏面側に積層された表示装置と、を備えたことを特徴とする押しボタンユニット。
【請求項５】
請求項１〜３の何れか１項に記載された押しボタンスイッチが搭載され、
前記光源の発光を制御する制御部を備えたことを特徴とする遊技機。
【請求項６】
前記導光板は、前記押圧操作面に対応する領域を全体的に発光させる発光パターンを有し、
前記制御部は、前記発光パターンを有する前記導光板に光を供給する光源の光供給量を可変制御して、前記押圧操作面を介した前記押しボタンスイッチの設置面側の視認性を調整することを特徴とする請求項５に記載の遊技機。
【発明の詳細な説明】
【技術分野】
【０００１】
本発明は、遊技機に好適な押しボタンスイッチ、押しボタンユニット等に関するものである。
【背景技術】
【０００２】
従来から、いわゆるスロットマシンと呼ばれる遊技機が存在している。スロットマシンでは、複数種類のシンボルが表示された複数のリールが回転し、停止したときに窓に表示されているシンボルとその揃い方とにより役が決定し、役とベット数（賭け数）とに応じて賞が付与される。リールは、スロットマシンの前面に設けられた押しボタンを押圧するか、レバーを引くことによって回転を開始し、機器の制御によって停止する。
【０００３】
ところで、スロットマシンが設置されるカジノ等の遊技施設では、１つの遊技機メーカが製造したマシンだけでなく、様々な遊技機メーカのマシンが設置される。遊技者は、様々な遊技機メーカのマシンの中から嗜好のあったマシンを選択して遊技を行う。そのため、遊技施設では、遊技者に人気のあるマシンを設置して、競合する他の遊技施設に対する優位性の確保を図っており、遊技機メーカでは、遊技施設からの要望に応えるべく、遊技者にアピールできる、演出力のあるマシンの開発に努力している。
【０００４】
このような中、リール回転開始用の押しボタンスイッチは、スロットマシンの前面の外観上目立つ箇所に設けられ、しかも、遊技者が直接操作するものでもあるため、演出に用いて遊技者にマシンをアピールする上で非常に重要視されている。
【０００５】
既存のリール回転開始用の押しボタンスイッチとして、透明なボタンカバー内に銘板と発光ダイオードを配置し、ボタン内の銘板の絵柄や文字が遊技者に視認できるように構成されたものがある。しかしながら、上記構成では、銘板に記載された単一の絵柄や文字しか遊技者に見せることができず、演出においては、発光ダイオードの点灯／消灯を切り替えることによるものしか行えない。
【０００６】
このような不具合を解消するものとして、例えば、特許文献１には、ボタン内に有機発光ダイオード表示部を配置した構成のリール回転開始用の押しボタンスイッチが記載されている。
【０００７】
また、遊技機用ではないが、エレベータの押しボタンスイッチとしては、ボタンを導光板で形成し、該導光板を発光ダイオードで光らせるよう構成されたものがある。例えば、特許文献２には、ボタンを構成する導光板の表裏の両面に異なるシボ加工（発光パターン）を施し、導光板の側面に対向するように、表面のシボ加工用の光源と裏面のシボ加工用の光源とを高さを変えて配置した構成が記載されている。また、導光板の全面にシボ加工を施すことや、文字や数字のシボ加工を施すこと等も記載されている。
【先行技術文献】
【特許文献】
【０００８】
【特許文献１】特開２００５−３１０７７２号公報（２００５年１１月４日公開）
【特許文献２】特開２００７−８４２０６号公報（２００７年４月５日公開）
【発明の概要】
【発明が解決しようとする課題】
【０００９】
しかしながら、特許文献１の押しボタンスイッチの構成では、ボタン内に表示部を設けているので、相互接続部等の電気信号の接続系統が複雑なものとなる。
【００１０】
また、特許文献２の押しボタンスイッチの構成では、導光板に形成された発光パターンによる表示のみを用いた演出に限られるため、複雑な興趣のある演出を実現することができない。
【００１１】
本発明は、上記課題に鑑みなされたもので、簡単な構成でありながら、複雑な興趣のある演出を可能にする押しボタンスイッチ、押しボタンユニットおよび遊技機を提供することを目的としている。
【課題を解決するための手段】
【００１２】
本発明の押しボタンスイッチは、上記課題を解決するために、押圧操作面と平行に配設された導光板を含む透光材からなるボタン部と、前記ボタン部を押圧方向に平行移動させる移動機構と、前記平行移動に伴って、前記ボタン部に対する押圧操作を検出する検出部と、前記導光板の側面より内部に光を入射させる光源と、前記ボタン部の裏面側に配され、少なくとも前記移動機構が装備されるベースと、を備え、前記移動機構は、前記押圧操作面に対応する領域の外にて前記ボタン部を担持し、前記検出部および前記光源は、前記押圧操作面と対応する領域の外に配され、前記ベースには、前記押圧操作面と対応する領域が透明化もしくは開口されていることを特徴としている。
【００１３】
これにより、ボタン部内に設けられた導光板に形成された発光パターンの表示と、当該押しボタンスイッチが設置される設置面側の表示とを用いた、複雑な興趣のある演出を実現することが可能となる。押しボタンスイッチは、例えば液晶表示装置の表示面に設置することができ、その場合は、液晶表示装置の表示面の表示と導光板の発光パターンの表示とを用いた演出が可能となる。また、押しボタンスイッチは、図柄や文字が表示された板材（銘板、絵柄パネル）の上に設置することができ、その場合は、板材上の図柄文字の表示と導光板の発光パターンの表示とを用いた演出が可能となる。
【００１４】
本発明の押しボタンスイッチは、さらに、前記導光板は、複数枚が積層して配置され、前記光源は、前記複数の導光板それぞれに光を供給可能に配置されている構成とすることもできる。
【００１５】
導光板を複数枚とすることで、より多くの発光パターンを用いることができ、より一層複雑な興趣のある演出を実現することが可能となる。
【００１６】
本発明の押しボタンスイッチは、さらに、前記光源は、前記ボタン部とは一体に移動しないように設けられ、前記ボタン部が押圧操作された状態で、押圧方向上側に位置する導光板に、該導光板よりも同方向下側に位置する別の導光板用に設けられた光源からの光が入射するように設けられている構成とすることもできる。
【００１７】
押圧操作されて、ボタン部内の導光板とそれぞれの光源との位置がずれても、少なくとも１枚の導光板を発光させ続けることができる。
【００１８】
本発明の押しボタンユニットは、本発明の押しボタンスイッチと、前記押しボタンスイッチの裏面側に積層された表示装置と、を備えたことを特徴としている。
【００１９】
本発明の遊技機は、本発明の押しボタンスイッチが搭載され、前記光源の発光を制御する制御部を備えたことを特徴としている。
【００２０】
本発明は、本発明の押しボタンスイッチを搭載した押しボタンユニットおよび遊技機も発明の範疇としている。
【００２１】
本発明の遊技機は、さらに、前記導光板は、前記押圧操作面に対応する領域を全体的に発光させる発光パターンを有し、前記制御部は、前記発光パターンを有する前記導光板に光を供給する光源の光供給量を可変制御して、前記押圧操作面を介した前記押しボタンスイッチの設置面側の視認性を調整する構成とすることもできる。
【００２２】
これにより、押しボタンスイッチの設置面側の表示を見え隠れさせて期待感を高める等の、興趣のある演出が可能になる。
【発明の効果】
【００２３】
本発明によれば、簡単な構成でありながら、複雑な興趣のある演出を可能にする押しボタンスイッチ、押しボタンユニットおよび遊技機を提供することができるという効果を奏する。
【図面の簡単な説明】
【００２４】
【図１】実施の一形態の押しボタンスイッチを備えたスロットマシンの概観斜視図である。
【図２】上記押しボタンスイッチの外観斜視図である。
【図３】上記押しボタンスイッチの分解斜視図である。
【図４】上記押しボタンスイッチに備えられるボタンモジュールの分解斜視図である。
【図５】上記ボタンモジュールに備えられる導光板に形成された発光パターンを示す説明図である。
【図６】上記押しボタンスイッチに備えられる照光基板の外観斜視図である。
【図７】上記押しボタンスイッチに備えられるスイッチ機構部の分解斜視図である。
【図８】上記押しボタンスイッチの操作を示す説明図である。
【図９】上記押しボタンスイッチが液晶表示装置の表示面上に配設された場合の、上記導光板と上記表示面の高さ位置の関係を示す説明図である。
【図１０】上記押しボタンスイッチにおける上記導光板の発光による表示例を示す説明図である。
【図１１】上記押しボタンスイッチにおける上記導光板の発光による載置面の表示の見え具合を示す説明図である。
【発明を実施するための形態】
【００２５】
以下、添付図面を参照しながら本発明の好適な実施形態を説明する。但し、本発明は以下の実施形態に限定されるものでなく、本発明の要旨を逸脱しない範囲において種々設計変更することができる。
【００２６】
本発明の押しボタンスイッチは、各種遊技機の押しボタンスイッチとして使用でき、本実施の形態では、遊技機であるスロットマシンにリール回転開始用の押しボタンスイッチとして搭載された例を説明する。
【００２７】
図１は、実施の一形態の押しボタンスイッチ５を搭載したスロットマシン１の概観斜視図である。図１に示すように、スロットマシン１では、遊技者（操作者）と対峙する正面の中央部にリール部２が設けられている。
【００２８】
リール部２には、複数種類のシンボルが表示された複数のリール（図示せず）が備えられている。複数のリールは、遊技者が押しボタンスイッチ５を操作することで回転を開始し、機器の制御によって自動に停止する。スロットマシン１では、リールが停止したときにリール部２の窓（図示せず）に表示されている、選択したラインにおけるシンボルの揃い方と揃ったシンボルの種類とにより役が決定し、役とベット数（賭け数）とに応じた賞が遊技者に付与される。なお、リール部２の構成としては、リールが実際に設けられている構成の他、液晶画面等の表示画面より構成されていて、リールに相当する画像が表示されている構成等であってもよい。
【００２９】
リール部２の上方には、遊技者に各種の情報を表示する表示画面３が設けられている。リール部２の下方には、リールの回転開始を指示する押しボタンスイッチ５の他、ラインの選択やベット数の指定に用いられる、複数のスイッチを備えたスイッチ操作部４が設けられている。押しボタンスイッチ５は、スイッチ操作部４が備えるスイッチよりも大きく形成されており、左右方向に延びる矩形状の外観を有する。
【００３０】
図２は、押しボタンスイッチ５の外観斜視図である。図２に示すように、押しボタンスイッチ５は、押圧操作される矩形状のボタン（押しボタン）３１を有しており、ボタン３１の天面が押圧操作面３１ａとなっている。ボタン３１は、内部に導光板３３，３４（図９参照）を備えると共に、ボタン３１を介して、正確にはボタン３１の押圧操作面３１ａを介して当該押しボタンスイッチ５が設置された設置面側を視認できるように、透明に構成されている。このようなボタン３１を介しての設置面側の視認が妨げられないように、ボタン３１に対する押圧操作を検出する検出部８０（図８参照）等の機構系は、ボタン３１の長手方向側方の本体部８に集約して配設されている。
【００３１】
以下、押しボタンスイッチ５の構成について詳細に説明する。図３は、押しボタンスイッチ５の分解斜視図である。押しボタンスイッチ５は、図３に示すように、ボタン３１に対応する、正確には押圧操作面３１ａに対応する領域に底面開口部１０ａが形成された下側ケース（ベース）１０に、リンク機構（移動機構）２０、操作アーム６０、およびラチェット機構７０が組み付けられたスイッチ機構部７を備え、該スイッチ機構部７上に、ボタン３１を有するボタンモジュール（ボタン部）３０および照光基板４０が組み込まれ、その上方より、ボタン３１を挿通させるボタン開口部５０ａが形成された上側ケース５０が被せられた構成を有する。
【００３２】
図４は、上記ボタンモジュール３０の分解斜視図である。ボタンモジュール３０は、図４に示すように、ボタンカバー３２内に、２枚の導光板３３，３４を備えている。ボタンカバー３２は、上側ケース５０のボタン開口部５０ａに挿通されるボタン３１部分が透光材（透明材）から構成されている。そして、該ボタン３１の押圧操作面３１ａに平行に、導光板３３，３４が、積層して配設される。導光板３３，３４は、ボタンカバー３２におけるボタン３１部分の周囲に形成された保持部３５に、導光板３３，３４の外周に形成された複数の係止片３３ａ，３４ａが係止されることで支持される。導光板３３，３４には、押圧操作面３１ａよりも長く形成された本体部８側の側面３３ｂ，３４ｂより、光が入射される。
【００３３】
図５は、導光板３３，３４に形成された発光パターンを示す説明図である。導光板３３，３４には、内部を伝播する光を外部に取り出すための発光パターンが形成されている。図５の（ａ）に示すように、押圧方向上側の導光板３３には、例えば「ＳＰＩＮ」の文字発光パターン３６が形成されている。一方、図５の（ｂ）に示すように、押圧方向下側の導光板３４には、ボタン３１の押圧操作面３１ａに対応する領域を全体的に発光させる全面発光パターン３７が形成されている。なお、図５の例では、導光板３３，３４の各裏面側に発光パターンを形成しているが、各表面側に形成することもできる。
【００３４】
照光基板４０は、図３に示すように、導光板３３，３４における長手方向側方の本体部８に配設される。図６は、照光基板４０の外観斜視図である。図６に示すように、照光基板４０には、導光板３３，３４に光を供給する光源である複数の発光ダイオード（ＬＥＤ）４１，４２が、ボタンモジュール３０と対向する辺に沿って配設されている。このうち、照光基板４０の表面（上面）に配設された複数のＬＥＤ４１が、上側の導光板３３に光を供給し、裏面（下面）に配設された複数のＬＥＤ４２が、下側の導光板３４に光を供給する。複数のＬＥＤ４１は、同一の色である必要はなく、異なる色とする方が、演出効果を高めることができる。複数のＬＥＤ４２においても同様である。
【００３５】
また、本実施の形態では、ボタン３１が押圧操作された状態で、上側の導光板３３に下側の導光板３４用に設けられた複数のＬＥＤ４２からの光が入射するように、ボタン３１の押圧方向への移動距離とＬＥＤ４１およびＬＥＤ４２の離間距離とが調整されている。これにより、押圧操作されて、導光板３３，３４とＬＥＤ４１とＬＥＤ４２との位置関係がずれても、少なくとも導光板３３を発光させ続けることができる。
【００３６】
このような複数のＬＥＤ４１，４２の点灯は、外部より入力される制御信号に応じて制御され、導光板３３，３４へ供給する光量も制御される。照光基板４０の裏面には、図３に示すように、外部配線が接続される入力側コネクタ４３、出力側コネクタ４４が搭載されている。さらに、照光基板４０の裏面には、ボタン３１に対する押圧操作を検出する検出部８０（図８参照）も搭載されており、検出部８０による検出結果が出力側コネクタ４４に接続された外部配線をより外部に出力されるようになっている。
【００３７】
図７は、スイッチ機構部７の分解斜視図である。スイッチ機構部７は、図７に示すように、下側ケース１０、リンク機構２０、操作アーム６０、およびラチェット機構７０を備える。
【００３８】
下側ケース１０は、押しボタンスイッチ５の底面を構成する部材であり、上述したように、ボタン３１を介して押しボタンスイッチ５の設置面側の視認を可能にする、底面開口部１０ａが形成されている。なお、本実施の形態では、底面開口部１０ａとしているが、底面開口部１０ａに透光材からなる透明な窓を嵌めた構成としたり、下側ケース１０を透光材より形成して底面開口部１０ａを形成しない構成（透明化）としたりしてもよい。
【００３９】
下側ケース１０における、底面開口部１０ａ周囲における長手方向に沿った長手の２辺には、壁状部１１が上方に向かって突出するよう形成され、壁状部１１のさらに外側に、リンク機構２０の軸２１，２２を受ける軸受１２，１３、およびリンク機構２０の移動を安定化させるガイド１４が形成されている。
【００４０】
また、下側ケース１０における底面開口部１０ａ側方の本体部８側には、操作アーム６０の軸６２を受ける軸受１５や、押圧されたボタン３１を押し戻す復帰バネ６３の一端が固定された固定部６４を取り付ける取り付け部１６、リンク機構２０をラチェット機構７０が組み付けられる取り付け穴１７等が形成されている。
【００４１】
リンク機構２０は、ボタンモジュール３０を平行移動させるものである。リンク機構２０は、コの字形に形成された一対のレバーリンク２３が、屈曲自在に突き合わされて連結された矩形の枠状構造体であり、連結部２４を有する長手の辺に、軸２１，２２が形成されている。リンク機構２０は、底面開口部１０ａを囲うように、長手の辺が下側ケース１０の壁状部１１とガイド１４との間に配され、軸２１，２２が軸受１２，１３にて支持される。リンク機構２０は、一対のレバーリンク２３が上下方向に連動して移動するよう構成されており、一対のレバーリンク２３は、連結部２４を挟んで対称に動くようになっている。
【００４２】
ボタンモジュール３０は、その裏面が、一対のレバーリンク２３における短手の辺である支持部２３ａに担持される。リンク機構２０に担持された状態で、ボタンモジュール３０におけるボタン３１は、リンク機構２０の枠の内側に位置し、底面開口部１０ａの内側に位置する。
【００４３】
操作アーム６０は、ボタン３１に対する押圧操作を検出部８０に検出させる搖動部材である。操作アーム６０は、コの字形の部材であり、コの字形の開放された側が、本体部８側に配設されたレバーリンク２３における、連結部２４とは反対側の端部に、軸６１にて搖動自在に取り付けられると共に、コの字形の内側においても、軸６２にて搖動自在に軸支されている。操作アーム６０は、レバーリンク２３が移動して連結部２４側が上がって軸６１のある端部側が下がると、軸６２を中心に回転して、コの字形の閉じられた側６０ａが上がり、逆に、レバーリンク２３が移動して連結部２４側が下がって軸６１のある端部側が上がると、軸６２を中心に回転して、コの字形の閉じられた側６０ａが下がるようになっている。
【００４４】
検出部８０（図８参照）は、フォトマイクロセンサよりなり、操作アーム６０におけるこのコの字形の閉じられた側６０ａにて、フォトマイクロセンサの受光が遮られると、ボタン３１が押圧されことを検出する。
【００４５】
また、軸６２に挿通させて、押圧されたボタン３１を押し戻す復帰バネ６３が設けられている。復帰バネ６３は一端が、固定部６４に取り付けられる一方、他端が軸６１に取り付けられており、軸６１を上方に付勢している。
【００４６】
ラチェット機構７０は、下側ケース１０に設けられた取り付け穴１７に配置される。ラチェット機構７０は、操作アーム６０におけるコの字形の閉じられた側６０ａと係合しており、ボタン３１の押圧操作に連動して操作感（クリック感）を与えるようになっている。
【００４７】
図８は、押しボタンスイッチ５の操作を示す説明図である。図８の（ａ）に示すように、ボタン３１が押圧操作されていない状態では、復帰バネ６３（図３、図７参照）の付勢力によって、軸６１が上方に持ち上げられている。軸６１が上方に持ちあげられることで、リンク機構２０は、支持部２３ａを上に、連結部２４を下に撓み、操作アーム６０は、コの字形の閉じられた側６０ａが下がり、検出部８０であるフォトマイクロセンサの受光を遮らない。
【００４８】
ボタン３１が押圧操作されると、図８の（ｂ）に示すように、復帰バネ６３の付勢力に抗って軸６１が下方に押し下げられる。これに連動して、リンク機構２０は、支持部２３ａを下に、連結部２４を上に撓み、操作アーム６０は、コの字形の閉じられた側６０ａが上がる。コの字形の閉じられた側６０ａが上がることで、検出部８０であるフォトマイクロセンサの受光が遮られ、検出部８０はボタン３１が押圧されていることを検出する。
【００４９】
ボタン３１に対する押圧を解除すると、復帰バネ６３（図３、図７参照）の付勢力によって、軸６１が上方に持ち上げられ、図８の（ａ）に示す状態に戻る。
【００５０】
リンク機構２０における一対のレバーリンク２３が、連結部２４を挟んで対称に動くことで、ボタン３１の中央以外の部分が押圧操作された場合でも、ボタンモジュール３０は、押圧方向に平行に移動する。
【００５１】
以上のように、上記押しボタンスイッチ５は、ボタン３１が内部に導光板３３，３４を備えると共に、ボタン３１を介して当該押しボタンスイッチ５が設置された設置面側を視認できるように、透明に構成されており、ボタン３１を介しての設置面側の視認が妨げられないように、ボタン３１に対する押圧操作を検出する検出部等の機構系が、ボタン３１の長手方向側方の本体部８に集約して配設された構成である。
【００５２】
これにより、ボタンモジュール３０内に設けられた導光板３３，３４に形成された発光パターンの表示と、当該押しボタンスイッチ５が設置される設置面側の表示とを用いた、複雑な興趣のある演出を実現することが可能となる。
【００５３】
押しボタンスイッチ５は、例えば液晶表示装置の表示面に設置することができる。これにより、液晶表示装置の表示面の表示と、導光板３３，３４の発光パターン３６，３７の表示とを用いた演出が可能となる。
【００５４】
また、押しボタンスイッチ５は、図柄や文字が表示された板材（銘板、絵柄パネル）の上に設置することができる。これにより、板材上の図柄文字の表示と、導光板３３，３４の発光パターン３６，３７の表示とを用いた演出が可能となる。
【００５５】
図９は、上記押しボタンスイッチ５が、液晶表示装置の表示面９０上に配設された場合の上記導光板３３，３４と上記表示面９０との高さ位置の関係を示す説明図である。図９に示すように、導光板３３の表示面および導光板３４の表示面は、液晶表示装置の表示面９０から高さ方向に物理的に離間すると共に、導光板３３の表示面と導光板３４の表示面も互いに高さ方向に物理的に離間している。したがって、表示による奥行き感のある演出が可能になる。
【００５６】
図１０は、上記押しボタンスイッチ５における導光板３３，３４の発光による表示例を示す説明図である。図１０の（ａ）は、上側の導光板３３のみを点灯表示した例である。押しボタンスイッチ５の設置面（液晶表示装置の表示面９０や、図柄や文字が表示された板材の表面）の上空に文字”ＳＰＩＮ”が表示され、遊技者は文字”ＳＰＩＮ”が浮遊している感覚を得る。図１０の（ｂ）は、下側の導光板３４のみを点灯表示した例である。押しボタンスイッチ５の設置面の上空が全面発光し、ＬＥＤ４２からの光供給量を増加させて輝度を高めると、設置面の表示を視認できなくして遊技者から隠すことができる。図１０の（ｃ）は、導光板３３，３４の両方を点灯表示した例である。全面発光面の上空に文字”ＳＰＩＮ”が表示され、遊技者は、全面発光した中に文字”ＳＰＩＮ”が浮遊している感覚を得る。
【００５７】
図１１は、上記押しボタンスイッチ５における導光板３４の発光による載置面の表示の見え具合を示す説明図である。図１１の（ａ）は、導光板３３，３４の両方共を消灯している状態の例である。遊技者は、押しボタンスイッチ５の設置面に表示された文字”ＢＯＮＵＳ ＣＨＡＮＣＥ”をクリアに視認することができる。図１１の（ｂ）は、下側の導光板３４のみを中程度の輝度で点灯表示した例である。押しボタンスイッチ５の設置面の上空が全面発光し、遊技者は、設置面に表示された文字”ＢＯＮＵＳ ＣＨＡＮＣＥ”を視認し辛くなる。図１１の（ｃ）は、ＬＥＤ４２からの光供給量を増加させて導光板３４の輝度をさらに高めた状態である。遊技者は、設置面に表示された文字”ＢＯＮＵＳ ＣＨＡＮＣＥ”を視認できない。
【００５８】
図１１の（ａ）〜（ｃ）に示した表示状態を、例えば、（ｃ）→（ｂ）→（ｃ）→（ｂ）→…→（ａ）の順で実行することで、文字”ＢＯＮＵＳ ＣＨＡＮＣＥ”で示されるボーナスチャンスへの期待感が高まり、興趣のある演出が可能になる。設置面を液晶表示装置等の表示面９０とした場合、設置面の表示内容を種々変更できるので、より一層、複雑な興趣のある演出が可能なる。
【００５９】
このように、本実施の形態の押しボタンスイッチ５を搭載することで、本実施の形態のスロットマシン１においては、ボタン３１が全面的に発光した光演出が可能で、また、ボタン３１の奥の設置面に表示された絵柄や文字の可視と不可視を切り替える演出が可能となる。これらにより、遊技者に新たな興趣を付与することができる。しかも、設置面の上空に、絵柄や文字を表示して、立体的な演出効果を遊技者に付与できる。
【００６０】
このようなスロットマシン１における導光板３３，３４を用いた演出、あるいはさらに表示面９０の切り替え表示を含めた演出は、スロットマシン１に搭載された制御部１００にて実行される（図１参照）。制御部１００は、ＣＰＵおよび記憶部を備え、リール部２や表示画面３、スイッチ操作部４、押しボタンスイッチ５等のスロットマシン１の各部を制御するものである。記憶部には、各種の演出内容が記憶されており、ＣＰＵは、記憶部から演出内容を読み出し、演出内容に従いスロットマシン１の各部を駆動して演出を実行する。なお、押しボタンスイッチ５に関連する制御のみを行う制御回路を、押しボタンスイッチ５に搭載させた構成としてもよい。
【００６１】
また、本実施の形態では、押しボタンスイッチ５が設置される、液晶表示装置や、図柄や文字が表示された板材を、押しボタンスイッチ５とは別体に構成したが、これらを一体化して、押しボタンユニットとすることもできる。
【００６２】
また、本実施の形態では、ボタンモジュール３０内に設けられる導光板を２枚としたが、３枚以上の複数枚にしても、逆に１枚のみ搭載する構成としてもよい。全面発光パターン３７が形成された下側の導光板３４を単独で備える構成にて、図１１に示した表示例による演出は十分可能である。また、導光板の表裏両面に発光パターンを設けたり、表裏両面に発光パターンを設けた導光板を、間隔を空けて積層配置することで、導光板の枚数よりも多い発光パターンを用いることができる。
【００６３】
また、本実施の形態では、ボタン３１の長手方向側方に本体部８を設けたが、ボタン３１に並ぶ位置であればよい。なお、ボタン３１は、矩形状に限定さてるものではなく、円形、楕円形等であってもよい。但し、液晶表示装置等の表示装置と組み合わせる場合は、表示装置の形状に相似する矩形が好ましい。
【００６４】
さらに、本実施の形態では、ＬＥＤ４１，４２を導光板３３，３４とは一体に移動しない構成としたが、ＬＥＤ４１，４２が導光板３３，３４と一体に移動する構成としてもよい。
【００６５】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６６】
スロットマシンやポーカーゲーム機、麻雀ゲーム機、トランプゲーム機等の遊技機に好適に利用できる。
【符号の説明】
【００６７】
１  スロットマシン（遊技機）
４  スイッチ操作部
５  押しボタンスイッチ
７  スイッチ機構部
８  本体部
１０  下側ケース（ベース）
１０ａ  底面開口部
２０  リンク機構（移動機構）
２３  レバーリンク
２３ａ  支持部
２４  連結部
３０  ボタンモジュール（ボタン部）
３１  ボタン
３１ａ  押圧操作面
３２  ボタンカバー
３３，３４  導光板
３６  文字発光パターン
３７  全面発光パターン
４０  照光基板
４１，４２  ＬＥＤ（光源）
５０  上側ケース
６０  操作アーム
６３  復帰バネ
７０  ラチェット機構
８０  検出部
９０  表示面
【図１】
2015223374.tif 000003
【図２】
2015223374.tif 000004
【図３】
2015223374.tif 000005
【図４】
2015223374.tif 000006
【図５】
2015223374.tif 000007
【図６】
2015223374.tif 000008
【図７】
2015223374.tif 000009
【図８】
2015223374.tif 000010
【図９】
2015223374.tif 000011
【図１０】
2015223374.tif 000012
【図１１】
2015223374.tif 000013